(57)【特許請求の範囲】
【請求項１】
エアゾール容器のステムに取り付けられ、該エアゾール容器の内容物を噴射口から噴射する噴射ボタンであって、
前記噴射口を備えたボタン本体と、該ボタン本体に設けられたタブと、を含み、
前記タブの先端側が、破断可能な連結部によって前記ボタン本体に連結されており、
前記エアゾール容器の通常使用時には、前記タブの先端側を前記連結部により連結したまま前記ボタン本体を押し下げることによって、前記噴射口から内容物を噴射させ、
前記エアゾール容器の廃棄時には、前記連結部を破断し、破断状態の前記タブの先端側を引っ張ることによって、前記ボタン本体を前記ステムから取り外すことを特徴としたエアゾール容器のタブ付き噴射ボタン。
【請求項２】
前記ボタン本体に、前記エアゾール容器の巻締め部に係合可能な係合突起が形成されており、
前記エアゾール容器の通常使用時には、前記タブの先端側を前記連結部により連結したまま前記ボタン本体を押し下げることによって、前記噴射口から内容物を噴射させ、そして、前記ボタン本体に連結された前記タブの先端側を前記エアゾール容器に突き当てることによって、前記ボタン本体の押し下げ移動を制限し、
前記エアゾール容器の廃棄時には、前記連結部を破断して前記タブによる前記ボタン本体の押し下げ移動制限を解除し、前記ボタン本体をより下方へ押し下げて前記係合突起を前記エアゾール容器の巻締め部に係合させることによって、前記噴射口からの内容物の噴射を継続させ、そして、破断状態の前記タブの先端側を引っ張ることによって、前記係合突起と前記巻締め部との係合を外して前記ボタン本体を前記ステムから取り外すことを特徴とした請求項１に記載のエアゾール容器のタブ付き噴射ボタン。
【請求項３】
前記タブが、前記ボタン本体を取り囲むリング部材により構成されており、
前記リング部材に指先を引っ掛けて前記タブを引っ張り得る請求項１または請求項２に記載のエアゾール容器のタブ付き噴射ボタン。
【発明の詳細な説明】
【技術分野】
【０００１】
本発明は、エアゾール容器のステムに取り付けられ、エアゾール容器の内容物を噴射口から噴射する噴射ボタンに関する。
【背景技術】
【０００２】
周知のとおり、エアゾール容器は、その容器本体が金属材料により形成されているのに対し、噴射ボタンは合成樹脂材料により形成されているのが一般的である。したがって、使用済みのエアゾール容器を廃棄する際には、資源の有効利用の観点から、合成樹脂製の噴射ボタンを金属製の容器本体から取り外して分別廃棄することが求められている。
【０００３】
従来、分別廃棄に対応したエアゾール容器として、下記特許文献１に記載のものが知られている。しかしながら、このエアゾール容器は、前もって外しておいた噴射ボタンを用いて肩カバーを取り外すというものであり、噴射ボタンそれ自体を容器本体から取り外すのに手間取る惧れがあった。
【特許文献１】特開平１１−３３４７７５号公報
【発明の開示】
【発明が解決しようとする課題】
【０００４】
本発明は、従来のエアゾール容器に上記のような難点があったことに鑑みて為されたもので、たとえエアゾール容器のステムに噴射ボタンが強固に取り付けられていても、より簡単に噴射ボタンをエアゾール容器のステムから取り外すことのできる、エアゾール容器のタブ付き噴射ボタンを提供することを課題とするものである。
【課題を解決するための手段】
【０００６】
本発明は、エアゾール容器のステムに取り付けられ、該エアゾール容器の内容物を噴射口から噴射する噴射ボタンであって、
前記噴射口を備えたボタン本体と、該ボタン本体に設けられたタブと、を含み、
前記タブの先端側が、破断可能な連結部によって前記ボタン本体に連結されており、
前記エアゾール容器の通常使用時には、前記タブの先端側を前記連結部により連結したまま前記ボタン本体を押し下げることによって、前記噴射口から内容物を噴射させ、
前記エアゾール容器の廃棄時には、前記連結部を破断し、破断状態の前記タブの先端側を引っ張ることによって、前記ボタン本体を前記ステムから取り外すことを特徴としている。
【０００７】
更にまた、本発明は、前記ボタン本体に、前記エアゾール容器の巻締め部に係合可能な係合突起が形成されており、
前記エアゾール容器の通常使用時には、前記タブの先端側を前記連結部により連結したまま前記ボタン本体を押し下げることによって、前記噴射口から内容物を噴射させ、そして、前記ボタン本体に連結された前記タブの先端側を前記エアゾール容器に突き当てることによって、前記ボタン本体の押し下げ移動を制限し、
前記エアゾール容器の廃棄時には、前記連結部を破断して前記タブによる前記ボタン本体の押し下げ移動制限を解除し、前記ボタン本体をより下方へ押し下げて前記係合突起を前記エアゾール容器の巻締め部に係合させることによって、前記噴射口からの内容物の噴射を継続させ、そして、破断状態の前記タブの先端側を引っ張ることによって、前記係合突起と前記巻締め部との係合を外して前記ボタン本体を前記ステムから取り外すことを特徴としている。
【０００８】
更にまた、本発明は、前記タブが、前記ボタン本体を取り囲むリング部材により構成されており、前記リング部材に指先を引っ掛けて前記タブを引っ張り得ることを特徴としている。
【発明の効果】
【０００９】
本発明に係るエアゾール容器のタブ付き噴射ボタンによれば、エアゾール容器の廃棄時に、タブを介してボタン本体を引っ張ることができるので、噴射ボタンを直接摘んで引っ張る必要があった従来の噴射ボタンに比べ、より簡単にボタン本体を取り外すことができる。したがって、例えば女性や高齢者等の比較的に非力な者であっても手軽にエアゾール容器の分別廃棄を行うことができる。
【発明を実施するための最良の形態】
【００１０】
以下、本実施形態のエアゾール容器のタブ付き噴射ボタン１０について、図１〜図４を参照しながら説明する。
【００１１】
本実施形態のタブ付き噴射ボタン１０は、図１及び図２に示すように、合成樹脂製のボタン本体１と、このボタン本体１に設けられた合成樹脂製のタブ２と、から構成されている。そして、周知のエアゾール容器３のステム３４に取り付けられている。
【００１２】
エアゾール容器３は、図１に示すように、化粧品等の内容物を収容する容器本体３１とトップドーム３２とが外側の巻締め部３３によって気密状態に連結され、そして、トップドーム３２と、ステム３４を備えたバルブユニット３５とが内側の巻締め部３６によって気密状態に連結されている。このエアゾール容器３のステム３４を、バルブユニット３５に内蔵された図示しないバネの付勢力に抗して押し下げることによって、ステム３４を通して内容物が噴射される。
【００１３】
タブ付き噴射ボタン１０のボタン本体１は、図１に示すように、ステム３４の噴射孔と連通する噴射口１１を前部に備えており、ボタン本体１を押し下げたとき、ステム３４を通して噴射口１１から内容物が噴射される。
【００１４】
タブ２は、図１及び図２に示すように、上記ボタン本体１を取り囲むリング部材２１により構成されている。そして、タブ２の基端２２は、破断不能な固定部２３によってボタン本体１の下部の前部に固定されており、タブ２の先端２４は、破断可能な連結部２５によってボタン本体１の下部の後部に連結されている。この連結部２５を破断することによって、タブ２の先端２４側をボタン本体１から切り離すことができ、タブ２の先端２４側に指先を引っ掛けた状態でタブ２を引っ張ることが可能となる。なお、本実施形態のタブ付き噴射ボタン１０は、ボタン本体１とタブ２とが合成樹脂材により一体に成形されている。
【００１５】
しかして、本実施形態のタブ付き噴射ボタン１０は、エアゾール容器の通常使用時には、図３に示すように、タブ２の先端２４を連結部により連結したまま、ボタン本体１を押し下げることによって、噴射口１１から内容物を噴射させる。
【００１６】
そして、エアゾール容器の廃棄時には、図４に示すように、タブ２の連結部２５を破断し、その後、タブ２の先端２４側に指先等を引っ掛けてタブ２の先端２４を上方へ引っ張ることによって、ボタン本体１をステム３４から取り外すのである。
【００１７】
このように、本実施形態のタブ付き噴射ボタン１０によれば、エアゾール容器の廃棄時に、タブ２を介してボタン本体１を引っ張ることができるので、噴射ボタンを直接摘んで引っ張る必要があった従来の噴射ボタンに比べて、より簡単にボタン本体１を取り外すことができる。したがって、例えば女性や高齢者等の比較的に非力な者であっても、手軽にエアゾール容器の分別廃棄を行うことができる。
【００１８】
また、エアゾール容器の通常使用時においては、タブ２の先端２４側が連結部２５によってボタン本体１に連結されているので、タブ２が噴射操作の邪魔になることがない。そして、エアゾール容器の廃棄時には、連結部２５を破断してタブ２の先端２４側をボタン本体１から切り離すことができるので、タブ２を引っ張り易くなる。
【００１９】
しかも、タブ２がリング部材２１により構成されているので、リング部材２１に指先を引っ掛けることができ、より簡単かつ確実にタブ２を引っ張ることができる。更にまた、このリング部材２１が、ボタン本体１を取り囲んで配設されているので、タブ付き噴射ボタンをよりコンパクトに構成することができる。
【００２０】
以上、本実施形態のエアゾール容器のタブ付き噴射ボタンについて説明したが、本発明はその他の形態でも実施することができる。
【００２１】
例えば、図５〜図９に示すタブ付き噴射ボタン２０のように構成しても良い。タブ付き噴射ボタン２０は、図５及び図６に示すように、合成樹脂製のボタン本体４と、このボタン本体４に設けられた合成樹脂製のタブ５と、エアゾール容器３の巻締め部３６に係合可能な合成樹脂製の係合突起６と、から構成されている。そして、上述したタブ付き噴射ボタン１０と同様、周知のエアゾール容器３のステム３４に取り付けられている。
【００２２】
タブ付き噴射ボタン２０のボタン本体４は、図５に示すように、ステム３４の噴射孔と連通する噴射口４１を前部に備えており、ボタン本体４を押し下げたとき、ステム３４を通して噴射口４１から内容物が噴射される。
【００２３】
タブ５は、図５及び図６に示すように、上記ボタン本体４を、その外周囲の約２／３に亘って部分的に取り囲むリング部材５１によって構成されている。そして、タブ５の基端５２は、破断不能な固定部５３によってボタン本体４の高さ方向中央部の前部に計２ヵ所で固定されており、タブ５の先端５４は、破断可能な連結部５５によってボタン本体４の下部の後部に連結されている。この連結部５５を破断することによって、タブ５の先端５４側をボタン本体４から切り離すことができ、タブ５の先端５４側に指先を引っ掛けた状態でタブ５を引っ張ることが可能となる。
【００２４】
係合突起６は、図５及び図６に示すように、ボタン本体４の下部に形成されている。本実施形態では、ボタン本体４の下部の前部と後部との計２ヵ所に係合突起６が形成されている。図８に示すように、この係合突起６をエアゾール容器３の巻締め部３６の内側凹部に係合することによって、ボタン本体４及びステム３４の押し下げ状態を維持することができ、噴射口４１からの内容物の噴射を継続させることができる。
【００２５】
なお、この実施変形例のタブ付き噴射ボタン２０においては、図６に示すように、タブ５の先端５４を連結部５５によって一方の係合突起６に連結しているが、本発明は勿論これに限定されるものではなく、上述したタブ付き噴射ボタン１０と同様、タブ５の先端５４を連結部５５によって直接、ボタン本体４に連結しても良い。また、タブ５の先端５４側を複数の連結部５５によって連結しても良く、また、タブ５の先端５４側とボタン本体４とを所謂ミシン目によって切り離し可能に連結しても良い。また、このタブ付き噴射ボタン２０は、ボタン本体４とタブ５と係合突起６とが合成樹脂材により一体成形されている。
【００２６】
しかして、実施変形例のタブ付き噴射ボタン２０は、エアゾール容器の通常使用時には、図７に示すように、タブ５の先端５４側を連結部により連結したまま、ボタン本体４を押し下げることによって、噴射口４１から内容物を噴射させる。そして、ボタン本体４を押し下げたとき、図７に示すように、ボタン本体４に連結されたタブ５の先端５４側が、エアゾール容器３の巻締め部３６の上端に突き当たることによって、ボタン本体４の押し下げ移動が制限される。
【００２７】
また、エアゾール容器の廃棄時には、図８に示すように、ボタン本体４をより強く押し下げてタブ５の連結部を破断すれば、タブ５によるボタン本体４の押し下げ移動の制限が解除される。そして、ボタン本体４をより下方へ押し下げて係合突起６をエアゾール容器３の巻締め部３６に係合させることによって、噴射口４１からの内容物の噴射が継続される。こうして、エアゾール容器３のガス抜きを行うことができるのである。
【００２８】
図８に示すように、タブ５の連結部を破断した状態で、ボタン本体４をより下方へ押し下げたとき、タブ５の先端５４側は、エアゾール容器３の巻締め部３６上に残ることになる。図９に示すように、このタブ５の先端５４側に指先等を引っ掛けてタブ４の先端５４を上方へ引っ張ることによって、係合突起６と巻締め部３６との係合を外してボタン本体４をステム３４から取り外すのである。
【００２９】
このように、タブ付き噴射ボタン２０にあっても、エアゾール容器の廃棄時に、タブ５を介してボタン本体４を引っ張ることができるので、噴射ボタンを直接摘んで引っ張る必要があった従来の噴射ボタンに比べ、より簡単にボタン本体４を取り外すことができ、手軽にエアゾール容器の分別廃棄を行うことができる。
【００３０】
さらに、タブ付き噴射ボタン２０によれば、エアゾール容器の通常使用時において、ボタン本体４を押し下げたとき、タブ５の先端５４側がエアゾール容器３の巻締め部３６に突き当たってボタン本体４の押し下げ移動を確実に制限することができるので、使用者が意図しないときに係合突起６と巻締め部３６とが係合してしまうこともなく、誤ってエアゾール容器がガス抜きされてしまう危険を確実に回避することができる。
【００３１】
なお、上述したタブ付き噴射ボタン１０、２０においては、タブ２、５をそれぞれリング部材２１、５１によって構成しているが、本発明は決してこれに限定されるものではなく、例えば、タブ２、５を長方形状の摘み片によって構成しても良い。
【００３２】
本発明はその趣旨を逸脱しない範囲内で、当業者の知識に基づき種々なる改良、修正、変形を加えた態様で実施し得るものである。また、同一の作用又は効果が生じる範囲内で、何れかの発明特定事項を他の技術に置換した形態で実施しても良く、また、一体に構成されている発明特定事項を複数の部材から構成しても、複数の部材から構成されている発明特定事項を一体に構成した形態で実施しても良い。
【図面の簡単な説明】
【００３３】
【図１】本実施形態のタブ付き噴射ボタンの側面図である。
【図２】本実施形態のタブ付き噴射ボタンの平面図である。
【図３】本実施形態のタブ付き噴射ボタンの噴射状態の側面図である。
【図４】本実施形態のタブ付き噴射ボタンを取り外した状態の側面図である。
【図５】本発明に係る実施変形例のタブ付き噴射ボタンの側面図である。
【図６】本発明に係る実施変形例のタブ付き噴射ボタンの平面図である。
【図７】本発明に係る実施変形例のタブ付き噴射ボタンの噴射状態の側面図である。
【図８】本発明に係る実施変形例のタブ付き噴射ボタンの噴射継続状態の側面図である。
【図９】本発明に係る実施変形例のタブ付き噴射ボタンを取り外した状態の側面図である。
【符号の説明】
【００３４】
１０、２０  タブ付き噴射ボタン
１、４  ボタン本体
１１、４１  噴射口
２、５  タブ
２１、５１  リング部材
２２、５２（タブの）基端
２３、５３  固定部
２４、５４（タブの）先端
２５、５５  連結部
３  エアゾール容器
３１  容器本体
３４  ステム
３６  巻締め部
６  係合突起
【図１】
0004281070.tif 000002
【図２】
0004281070.tif 000003
【図３】
0004281070.tif 000004
【図４】
0004281070.tif 000005
【図５】
0004281070.tif 000006
【図６】
0004281070.tif 000007
【図７】
0004281070.tif 000008
【図８】
0004281070.tif 000009
【図９】
0004281070.tif 000010